(57)【要約】【課題】  還暦後の資金運用において主要な収入及び支出を計算し、月、年、生涯の収支残が一表で確認できる還暦後のマネープラン表を提供する。【解決手段】  複数の縦罫線と横罫線とで縦横に線引きし、一方の最外側の横罫線と隣接する横罫線との間で複数の縦罫線で区画された空白に、左側から順番に、区分と、科目と、月計と、内訳と、年間計と、希望年数と、生涯計の見出し欄を形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が形成されたことを特徴とする還暦後のマネープラン表である。【選択図】図１
0003203400.tif 000002
【実用新案登録請求の範囲】
【請求項１】
複数の縦罫線と横罫線とで縦横に線引きし、一方の最外側の横罫線と隣接する横罫線との間で複数の縦罫線で区画された空白に、左側から順番に、区分と、科目と、月計と、内訳と、年間計と、希望年数と、生涯計の見出し欄を形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が形成されたことを特徴とする還暦後のマネープラン表
【請求項２】
前記収入の科目が、年金と、給与と、その他収入と、収入計とで形成されたことを特徴とする請求項１記載の還暦後のマネープラン表
【請求項３】
前記支出の科目が、食費と、水道光熱費と、電話等通信費と、日用品費と、被服費と、趣味娯楽費と、家賃住宅ローンと、社会保険（国保）と、生命保険と、損害保険と、車のローンと、駐車場代と、ガソリン代と、その他の支出と、支出計とで形成されたことを特徴とする請求項１記載の還暦後のマネープラン表
【請求項４】
前記特別収入の科目が、その他の特別収入と、特別収入計とで形成されたことを特徴とする請求項１記載の還暦後のマネープラン表
【請求項５】
前記特別支出の科目が、税金・固定資産税と、車検代と、介護保険と、ローン返済と、その他の特別支出と、特別支出計とで形成されたことを特徴とする請求項１記載の還暦後のマネープラン表
【請求項６】
前記生涯収入の科目が、資産の売却と、預貯金と、その他の生涯収入と生涯収入計とで形成されたことを特徴とする請求項１記載の還暦後のマネープラン表
【請求項７】
前記生涯支出の科目が、医療費用と、介護費用と、葬式費用と、墓代と、その他の生涯支出と、生涯支出計とで形成されたことを特徴とする請求項１記載の還暦後のマネープラン表
【考案の詳細な説明】
【技術分野】
【０００１】  本考案は、老後破産を防ぐための還暦後のマネープラン表に関する。
【背景技術】
【０００２】  老後の還暦後のマネープラン表については書類等で紹介されているが、重点のおきかたが収入面であったり、あまりに専門的であったりして全体が見えにくい。また、従来の還暦後のマネープラン表は、恵まれている人を対象にしたものが多い。そこで、本考案は還暦後のマネープランに不安を抱えている人のために作成したものである。【０００３】  例えば、実開平６−８１７６２号では、将来の複数年分の収支を記入して貯蓄額を算出家計資金運用計画表が開示されている。
【先行技術文献】
【特許文献】
【０００４】
【特許文献１】  実開平６−８１７６２号
【考案の概要】
【考案が解決しようとする課題】
【０００５】  しかしながら、現時点で判明している収支や財産等のみから数年後の貯蓄額を把握できる還暦後のマネープラン表は存在しない。【０００６】    本考案はこのような問題を鑑みてなされたものであり、還暦後の資金運用において主要な収入及び支出を計算し、月、年、生涯の収支残が一表で確認できる還暦後のマネープラン表を提供することを目的とする。
【課題を解決するための手段】
【０００７】  本考案者は、上記課題を解決するために鋭意研究を重ねた結果、本考案を完成するに至った。すなわち、本考案の請求項１の還暦後のマネープラン表は、複数の縦罫線と横罫線とで縦横に線引きし、一方の最外側の横罫線と隣接する横罫線との間で複数の縦罫線で区画された空白に、左側から順番に区分と、科目と、月計と、内訳と、年間計と、希望年数と、生涯計の見出し欄を形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が形成されたことを特徴とする。【０００８】  また、本考案の請求項２の還暦後のマネープラン表は、前記収入の科目が、年金と、給与と、その他収入と、収入計とで形成されたことを特徴とする。【０００９】  また、本考案の請求項３の還暦後のマネープラン表は、前記支出の科目が、食費と、水道光熱費と、電話等通信費と、日用品費と、被服費と、趣味娯楽費と、家賃住宅ローンと、社会保険（国保）と、生命保険と、損害保険と、車のローンと、駐車場代と、ガソリン代と、その他の支出と、支出計とで形成されたことを特徴とする。【００１０】  また、本考案の請求項４の還暦後のマネープラン表は、前記特別収入の科目が、その他の特別収入と、特別収入計とで形成されたことを特徴とする。【００１１】  また、本考案の請求項５の還暦後のマネープラン表は、前記特別支出の科目が、税金・固定資産税と、車検代と、介護保険と、ローン返済と、その他との特別支出と、特別支出計とで形成されたことを特徴とする。【００１２】  また、本考案の請求項６の還暦後のマネープラン表は、前記生涯収入の科目が、資産の売却と、預貯金と、その他の生涯収入と、生涯収入計とで形成されたことを特徴とする。【００１３】  さらに、本考案の請求項７の還暦後のマネープラン表は、前記生涯支出の科目が、医療費用と、介護費用と、葬式費用と、墓代と、その他の生涯支出と、生涯支出計とで形成されたことを特徴とする。
【考案の効果】
【００１４】  本考案による還暦後のマネープラン表では、月単位の年金、給与、その他の収入からなる収入計と、その他の特別収入による特別収入計のそれぞれを１２倍して年間の年間収入計と年間特別収入計を算出し、さらに年間収入計と年間特別収入計のそれぞれに希望年数を乗じて、生涯収入計と生涯特別収入計を算出する。【００１５】  次に、月単位の食費、水道光熱費、電話等通信費、日用品費、被服費、趣味娯楽費、家賃住宅ローン、社会保険（国保）、生命保険、損害保険、車のローン、駐車場代、ガソリン代、その他の支出からなる支出計と、税金・固定資産税、車検代、介護保険、ローン返済、その他の支出からなる特別支出計のそれぞれを１２倍して年間の年間支出計と年間特別支出計を算出し、さらに年間支出計と年間特別支出計のそれぞれに希望年数を乗じて、生涯支出計と生涯特別支出計を算出する。【００１６】  さらに、生涯収入計と生涯特別収入計と資産の売却、預貯金、その他の生涯収入からなる生涯収入計から総収入を算出し、生涯支出計と生涯特別支出計と医療費用、介護費用、葬式費用、墓代、その他の生涯支出からなる生涯支出計から総支出を算出する。最後に、総収入と総支出から生涯収支残を算出する。【００１７】  また、月単位の収入と支出から月単位収支残が算出できるとともに月単位収支残を１２倍した支出残と特別支出計を１２倍した支出残から年間収支残が算出する。【００１８】  これによって、月、年間、生涯の収支残を一表に表示することが可能となり、還暦後の希望年数に応じて生涯収支残を算出できることから、還暦後の人生においてどの時点で対策を立てるべきかが容易に判断できる。
【図面の簡単な説明】
【００１９】
【図１】本考案による還暦後のマネープラン表の一例を示す説明図である。
【考案を実施するための形態】
【００２０】  本考案の実施の形態について、図面を用いて説明する。
【実施例１】
【００２１】  図１は、本考案による還暦後のマネープラン表の一例を示す説明図であり、複数の縦罫線と横罫線とで縦横に線引きし、一方の最外側の横罫線と隣接する横罫線との間で複数の縦罫線で区画された空白に、左側から順番に区分と、科目と、月計と、内訳と、年間計と、希望年数と、生涯計の見出し欄を形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が形成され、単位収支残１、年単位収支計２、年単位支出計３、年単位収支残４、年単位特別収入計５、年単位特別支出計６、生涯収入計７、生涯支出計８、生涯特別収入計９、生涯特別支出計１０、生涯収入計１１、生涯支出計１２、生涯収支残１３の算出結果が記入できるようになっている。
【産業上の利用可能性】
【００２２】  この様に、本考案は、月、年間、生涯の収支残を一表に表示することが可能であることから、家計簿等の資金運用表にも利用できる。
【符号の説明】
【００２３】  １  単位収支残記入欄
２  年単位収支計記入欄
３  年単位支出計記入欄
４  年単位収支残記入欄
５  年単位特別収入計記入欄
６  年単位特別支出計記入欄
７  生涯収入計記入欄
８  生涯支出計記入欄
９  生涯特別収入計記入欄
１０  生涯特別支出計記入欄
１１  生涯収入計記入欄
１２  生涯支出計記入欄
１３  生涯収支残記入欄
【図１】
0003203400.tif 000003
【手続補正書】
【提出日】平成28年1月15日(2016.1.15)
【手続補正１】
【補正対象書類名】実用新案登録請求の範囲
【補正対象項目名】請求項１
【補正方法】変更
【補正の内容】
【請求項１】
複数の縦罫線と横罫線とで縦横に線引きし、一方の最外側の横罫線と隣接する横罫線との間で複数の縦罫線で区画された空白に、左側から順番に、区分と、科目と、月計と、内訳と、年間計と、希望年数と、生涯計の見出し欄を紙媒体に形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が前記紙媒体に形成されたことを特徴とする還暦後のマネープラン表。
【手続補正２】
【補正対象書類名】明細書
【補正対象項目名】０００７
【補正方法】変更
【補正の内容】
【０００７】本考案者は、上記課題を解決するために鋭意研究を重ねた結果、本考案を完成するに至った。すなわち、本考案の請求項１の還暦後のマネープラン表は、複数の縦罫線と横罫線とで縦横に線引きし、一方の最外側の横罫線と隣接する横罫線との間で複数の縦罫線で区画された空白に、左側から順番に区分と、科目と、月計と、内訳と、年間計と、希望年数と、生涯計の見出し欄を紙媒体に形成すると共に、他方の最外側の縦罫線と隣接する縦罫線との間で複数の横罫線で区画された前記区分の下方の複数の空白に、上側から順番に、収入と、支出と、月単位収支残と、特別収入と、特別支出と、年間収支残と、生涯収入と、生涯支出と、総収入と、総支出と、生涯収支残の見出し欄が前記紙媒体に形成されたことを特徴とする。